(57)【要約】【課題】貯蔵室の収納棚に形成された光触媒を照射して食品類の脱臭機能を果たすとともに、発光ダイオード光によって食品類の視認機能を果たすこと。【解決手段】貯蔵室の収納棚１４ａ〜１４ｄと、収納棚の下側に形成された光触媒１３ａ〜１３ｄと、貯蔵室の側面に形成された傾斜面を有する三角柱凸部１１，１２と、三角柱凸部１１，１２に設置された発光ダイオード１１ａ〜１１ｄ、１２ａ〜１２ｄと、を備え、三角柱凸部１１，１２は、複数の収納棚１４ａ〜１４ｄの手前側先端ａ〜ｄよりも、貯蔵室の扉を開いた場合の開口面１０ｋ側に形成され、三角柱凸部１１，１２は、発光ダイオードからの直接の照射光が、扉を開いた場合の開口面１０ｋよりも貯蔵室の奥側に照射されるように貯蔵室の左右側面に形成され、発光ダイオードからの照射光は、収納された食品類を視認できるように照射するとともに、光触媒を活性化させて脱臭機能を奏させるように照射すること。【選択図】図３
2014055713.tif 000002
【特許請求の範囲】
【請求項１】
冷蔵庫における貯蔵室に食品類を置くための収納棚と、
前記収納棚の下側に形成された光触媒と、
前記貯蔵室の側面に形成され、該側面の平面とは異なる傾斜面を有する第１の傾斜部と、
前記第１の傾斜部の傾斜面に設置された少なくとも１個の光源からなる第１の照明装置と、を備え、
前記第１の傾斜部は、前記貯蔵室に設置された複数の収納棚の手前側先端よりも、前記貯蔵室の扉を開いた場合の開口面側に形成され、
前記第１の傾斜部は、前記第１の照明装置からの直接の照射光が、前記貯蔵室の扉を開いた場合の前記開口面よりも前記貯蔵室の奥側に照射されるように、前記貯蔵室の左右側面に形成され、
前記第１の照明装置からの照射光は、前記収納棚に収納された食品類を視認できるように照射するとともに、前記光触媒を活性化させて脱臭機能を奏させるように照射する
ことを特徴とする冷蔵庫。
【請求項２】
請求項１において、
前記貯蔵室の複数の収納棚のそれぞれに対応して、前記第１の照明装置のそれぞれの光源が前記収納棚から所定距離だけ下方に設置されることを特徴とする冷蔵庫。
【請求項３】
請求項１または２において、
前記第１の傾斜部は、２つの傾斜面をもつ凸部又は凹部が前記貯蔵室の左右側面に形成され、前記２つの傾斜面のいずれかの傾斜面に前記光源を設置する
ことを特徴とする冷蔵庫。
【請求項４】
請求項１において、
前記第１の傾斜部に加えて、前記貯蔵室の左右側面の奥側に該左右側面の平面とは異なる傾斜面を有する第２の傾斜部と、
前記第２の傾斜部の傾斜面に設置された少なくとも１個の光源からなる第２の照明装置と、を備え、
前記第２の照明装置は、その照射方向が前記貯蔵室の前記開口面側に向けたものであり、
前記第２の照明装置からの照射光は、前記収納棚に収納された食品類を背後から照射するとともに、前記光触媒を照射する
ことを特徴とする冷蔵庫。
【請求項５】
請求項１、２、３または４において、
前記光源は発光ダイオードであり、前記光触媒は可視光応答型であることを特徴とする冷蔵庫。
【発明の詳細な説明】
【技術分野】
【０００１】
本発明は、脱臭装置を備えた冷蔵庫に係わり、特に、貯蔵室の食品類の脱臭と視認性を良くする冷蔵庫に関する。
【背景技術】
【０００２】
近年の冷蔵庫の貯蔵棚は、透明プラスチックによる一体成形品となっていて棚の上下間で、冷気が流通しない構造となっている。その理由は、小物の貯蔵物の落下防止、貯蔵物の安定性向上、棚の拭きやすさ、洗いやすさに配慮した使い勝手向上のためである。
【０００３】
また、貯蔵室内を冷却する冷気循環量は、省エネ性と保存性の向上のため、少なくなっている。具体的には冷蔵庫の断熱性能が向上したため、少ない風量で冷蔵庫全体を所定の温度に維持できると共に、少ない風量は食品の乾燥防止にもなっている。このため、ラップや輪ゴム等によって気密性が低くなっている場合には、食品から発生する臭い成分が棚間にこもりやすくなってきている。
【０００４】
そこで、冷蔵庫の棚として、光触媒を外表面に有する光透過性の板状導光性部材を用い、棚の配置された貯蔵室の除菌、脱臭を行うような従来技術が、例えば特許文献１に提案されている。この特許文献１によれば、導光性棚の表面、裏面、側面に可視光応答型光触媒を形成し、導光性棚の側面に対向した冷蔵庫の内壁面にＬＥＤを設け、ＬＥＤからの可視光が導光性棚の側面から導入され、導光性棚から漏れ出た光線を光触媒膜が吸収して光触媒分解活性により、除菌、脱臭を行うことが開示されている。
【先行技術文献】
【特許文献】
【０００５】
【特許文献１】特開２００７−１３９２３０号公報
【発明の概要】
【発明が解決しようとする課題】
【０００６】
しかしながら、上記特許文献１に示された従来技術では、光触媒を照射するＬＥＤが棚に収容された食品類の視認性を良くするための照明用光源としての観点は殆ど考慮されておらず、冷蔵庫に収容した食品などの収納物を照明できるということを単に述べているに留まる。
【０００７】
本発明の目的は、冷蔵庫の貯蔵室の収納棚に形成された光触媒に対して発光ダイオードの可視光が照射されて収納棚に収納された食品類の脱臭機能を奏させるようにするとともに、発光ダイオードからの光によって収納棚に収納された食品類をまぶしく感じることなく視認機能を確保できるような、両機能を十分に果たすことのできる冷蔵庫を提供することにある。
【課題を解決するための手段】
【０００８】
前記課題を解決するために、本発明は主として次のような構成を採用する。  
冷蔵庫における貯蔵室に食品類を置くための収納棚と、前記収納棚の下側に形成された光触媒と、前記貯蔵室の側面に形成され、該側面の平面とは異なる傾斜面を有する第１の傾斜部と、前記第１の傾斜部の傾斜面に設置された少なくとも１個の光源からなる第１の照明装置と、を備え、前記第１の傾斜部は、前記貯蔵室に設置された複数の収納棚の手前側先端よりも、前記貯蔵室の扉を開いた場合の開口面側に形成され、前記第１の傾斜部は、前記第１の照明装置からの直接の照射光が、前記貯蔵室の扉を開いた場合の前記開口面よりも前記貯蔵室の奥側に照射されるように、前記貯蔵室の左右側面に形成され、前記第１の照明装置からの照射光は、前記収納棚に収納された食品類を視認できるように照射するとともに、前記光触媒を活性化させて脱臭機能を奏させるように照射する構成とする。
【０００９】
また、前記冷蔵庫において、前記第１の傾斜部に加えて、前記貯蔵室の左右側面の奥側に該左右側面の平面とは異なる傾斜面を有する第２の傾斜部と、前記第２の傾斜部の傾斜面に設置された少なくとも１個の光源からなる第２の照明装置と、を備え、前記第２の照明装置は、その照射方向が前記貯蔵室の前記開口面側に向けたものであり、前記第２の照明装置からの照射光は、前記収納棚に収納された食品類を背後から照射するとともに、前記光触媒を照射する構成とする。
【発明の効果】
【００１０】
本発明によれば、収納棚下に形成された光触媒に対して可視光照射して、光触媒活性化により収納棚に収納された食品類の脱臭機能を向上させることができる。さらに、発光ダイオードからの可視光によって収納棚に収納された食品類の視認機能を確保することができる。また、脱臭機能と視認機能の両機能の両立を十分に果たすことができる。
【図面の簡単な説明】
【００１１】
【図１】本発明の第１の実施形態に係る冷蔵庫の外観斜視図である。
【図２】図１に示すＸ−Ｘ線で切断し、右側から見た場合の概略的な断面図である。
【図３】第１の実施形態に関する冷蔵室の扉を開けた状態における収納棚と発光ダイオードの配置を示す正面図である。
【図４】第１の実施形態に関する、冷蔵室に形成される凸部の傾斜面と、当該傾斜面に設置されるランプ（発光ダイオード）組立体の外観斜視図である。
【図５】図３に示すＹ−Ｙ線で切断し、上側から見た場合の発光ダイオードの設置状態を示す上面断面図である。
【図６】図５に示す発光ダイオードの設置状態の他の構成例であり、図３に示すＹ−Ｙ線で切断し、上側から見た場合の上面断面図である。
【図７】本発明の第２の実施形態に関する冷蔵室の扉を開けた状態における収納棚と発光ダイオードの配置を示す正面図である。
【図８】図７に示すＹ’−Ｙ’線で切断し、上側から見た場合の発光ダイオードの設置状態を示す上面断面図である。
【図９】本発明の脱臭性能を、従来技術における冷気通路に脱臭フィルターを設置した場合と比較して説明する図である。
【発明を実施するための形態】
【００１２】
本発明の第１の実施形態に係る冷蔵庫について、図１〜図６を参照しながら以下説明する。なお、各図において、共通する部分には同一の符号を付し、重複した説明を省略する。
【００１３】
図１は、本発明の第１の実施形態に係る冷蔵庫の外観斜視図である。図１に示すように、冷蔵庫１００は、冷蔵室１０、上段冷凍室２０、製氷室３０、下段冷凍室４０、野菜室５０等の複数の貯蔵室で構成される。
【００１４】
冷蔵室１０は、ヒンジ式の扉１０ａ又は扉１０ｂを手前側に引くことによって外部空間との間で解放し、開いた状態から扉１０ａ又は扉１０ｂを押して元の状態（図１の状態）に戻すことによって、外部空間から遮蔽することができる。また、上段冷凍室２０、製氷室３０、下段冷凍室４０、野菜室５０は、引き出し式の扉２０ａ，３０ａ，４０ａ，５０ａを有する。上記の各扉を手前側に引き出すことによって、外部空間との間で解放する。また、開いた状態から上記各扉を押して元の状態（図１の状態）に戻すことによって、外部空間から遮蔽することができる。
【００１５】
なお、以下の記載では、図１に示す冷蔵庫について説明するが、これに限定されるものではなく、他の冷気貯蔵器にも適用可能である。また、以下の説明において、冷蔵室１０、上段冷凍室２０、製氷室３０、下段冷凍室４０、野菜室５０等を総称して、貯蔵室ということもある。また、以下の説明において、図１に記載の冷蔵庫１００の設置方向に基づいて、扉（１０ａ，１０ｂ等）を有する側を手前側とし、その反対側を奥側とする。また、冷蔵庫１００の天井側を上側とし、その反対側を下側とする。また、冷蔵庫１００の正面と対向して冷蔵庫１００を見た場合を基準として、右側及び左側を定義する。なお、冷蔵室１０等の貯蔵室内の各面について説明する場合には、その天井に相当する面を天井面とする。
【００１６】
図２は、図１に示すＸ−Ｘ線で切断し、右側から見た場合の概略的な断面図である。冷蔵庫１００は、圧縮機６０、凝縮器（図示せず）、減圧装置（図示せず）、冷却器６１等からなる周知の冷凍サイクルにより冷却される。その他、冷蔵庫１００は、冷却された空気を送風するための冷却ファン６２、予め設定された庫内温度に合わせて風量を調節するダンパ（図示せず）、熱を効率的に利用するための真空断熱材６３、真空断熱材６３と接着可能な発泡断熱材６４、冷蔵庫１００全体の運転状態を制御する制御装置（図示せず）等を備える。なお、上記の各機器や冷凍サイクルについてはその説明を省略する。
【００１７】
本実施形態に係る冷蔵庫１００が備える複数の照明装置（発光ダイオード）は、貯蔵室に収納される食品類に光を当てて食品類を視認するためのものであり（視認用機能）、且つ光触媒を照射し活性化させて脱臭機能を果たすためのものであり（脱臭用機能）、両機能を同時に履行する。すなわち、本実施形態に関する発光ダイオード（照明装置、光源）は、冷蔵庫の庫内照明源と光触媒用光源の兼用機能を持っている。そして、この照明装置は、主として棚を有する冷蔵室１０において使用されることが多いので、以下では、冷蔵室１０における照明装置について説明する。
【００１８】
冷蔵室１０には、その収納性を高めるために、複数の収納棚１４ａ，１４ｂ，１４ｃ，１４ｄが設置されている。また、収納食品から発生し、収納棚間にこもったニオイ成分を脱臭する光触媒１３ａ，１３ｂ，１３ｃ，１３ｄが、収納棚１４ａ，１４ｂ，１４ｃ，１４ｄの各裏面、すなわち食品が置かれない下面に形成されている。また、清掃性等を容易にするために、収納棚１４ａ，１４ｂ，１４ｃ，１４ｄは取り外しができる構造であってもよい。
【００１９】
また、最下段の収納棚１４ａの下部には、魚肉類や野菜類等を保存するためのチルド室１５が設けられている。食品の鮮度を保つために、収納する食品に応じてチルド室１５の温度を適宜変更することができるように、制御装置（図示せず）が設けられている。なお、チルド室１５は引き出し式であり、手前に引き出すことで外部空間との間で解放することができる。また、押し戻して元の状態（図２の状態）に戻すことにより、外部空間から遮蔽することができる。
【００２０】
光触媒１３ａ，１３ｂ，１３ｃ，１３ｄは、例えば酸化タングステンからなる可視光応答型の光触媒で白色の発光ダイオード１２ａ，１２ｂ，１２ｃ，１２ｄの照射により、光触媒が活性化し、光触媒１３ａ，１３ｂ，１３ｃ，１３ｄに接したニオイ成分は炭酸ガスや水に分解され消臭される。
【００２１】
冷蔵室１０の左側面には、縦方向（上下方向）に連続した一条の凸部（突起部）１２が形成されている。同様に、冷蔵室１０の右側面には、縦方向（上下方向）に連続した一条の凸部１１（突起部、図３〜図５を参照）が形成されている。図示例では、凸部１２は三角柱形状であり、２つの傾斜面１２ｓと１つの稜線Ｌをもち、三角柱形状の他の１つの面が冷蔵室１０の側面に固接されている（凸部１２が冷蔵室１０の側面と一体形成されたものであってもよい）。
【００２２】
冷蔵室１０の左右の側面の各凸部１１，１２には、複数の発光ダイオードが適宜間隔で設置されている。例えば、図２に示すように、左側面の凸部１２には、４個の発光ダイオード１２ａ，１２ｂ，１２ｃ，１２ｄが略等間隔で設置されている。なお、各図において、発光ダイオードは実際の寸法よりも大きめに記載されている。
【００２３】
図３は、第１の実施形態に関する冷蔵室の扉を開けた状態における収納棚と発光ダイオードの配置を示す正面図である。図３では、開いた状態の扉１０ａ及び扉１０ｂについては、その記載を省略している。また、以下の記載において、単に発光ダイオードと記載する場合には、冷蔵室１０に設置された各々の発光ダイオードを指すものとする。
【００２４】
図３に示すように、冷蔵室１０の左側面には、上述したように、縦方向（上下方向）に連続した一条の凸部１２が形成されている。ここで、本実施形態では、凸部１２を正三角柱状に形成している。また、凸部１２のうち冷蔵室１０の内側に最も張り出した部分の稜線Ｌが、冷蔵庫１００の上下面に対して垂直となるように、冷蔵室１０の左側面を形成している。凸部１２は、冷蔵庫１００の製造段階において冷蔵室１０の左側面を形成する際に、冷蔵室１０の左側面のうち凸部１２以外の部分と一体のものとして形成される。なお、冷蔵庫１００の製造段階において冷蔵室１０の左側面を形成する場合に、冷蔵室１０の左側面を平面状に形成し、さらにその上から三角柱状の凸部１２を取り付けるものであってもよい。
【００２５】
凸部１２は、冷蔵室１０に設置された複数の収納棚１４ａ，１４ｂ，１４ｃ，１４ｄの先端よりも手前側（冷蔵室１０の扉１０ａ及び１０ｂを開いた場合の開口面側）に形成される。つまり、収納棚１４ａ，１４ｂ，１４ｃ，１４ｄの側面のうち、冷蔵室１０の扉１０ａ及び扉１０ｂを開いた場合の開口面に最も近い側面（図３に示す側面ａ，側面ｂ，側面ｃ，側面ｄ）よりも、凸部１２が手前側に位置するように形成される。
【００２６】
また、凸部１２には、照明装置である４つの発光ダイオード１２ａ，１２ｂ，１２ｃ，１２ｄがプリント基板に実装されたランプ組立体１２ｐ（図４参照）が設置されている。ここで、防水及び結露対策のため、ランプ組立体１２ｐは、図４に示すように凸部１２に内蔵されている（凸部１２の傾斜面１２ｓに凹部を形成して、この凹部にランプ組立体１２ｐを嵌め合わせて発光ダイオードのみを傾斜面１２ｓから突出させる）。なお、ランプ組立体１２ｐを傾斜面１２ｓ上に当接固定してもよい。
【００２７】
ランプ組立体１２ｐは、凸部１２の２つの傾斜面（手前側の傾斜面と奥側の傾斜面）のうち、奥側の傾斜面１２ｓ（図４と図５参照）に設置される。ランプ組立体１２ｐを凸部１２の奥側の傾斜面１２ｓに設置することによって、各発光ダイオードからの直接の照射光が冷蔵室１０内に照射される。これにより、各発光ダイオードの光が光触媒１３ａ，１３ｂ，１３ｃ，１３ｄに効率よく照射され、光触媒反応を効果的に作用させることが出来る。ここで、図３では各発光ダイオードを破線で示しているように、ユーザが冷蔵室１０の扉１０ａ又は扉１０ｂを開いた場合、奥側の傾斜面１２ｓ設置なので、各発光ダイオードはユーザに視認されない。これにより使用者はまぶしさを感じることなく冷蔵庫内の食品類の視認性も高まる。
【００２８】
以上の説明においては、冷蔵室１０の左側に形成された凸部１２、及び、発光ダイオード１２ａ，１２ｂ，１２ｃ，１２ｄをプリント基板に実装したランプ組立体１２ｐ（図４参照）、について説明したが、冷蔵室１０の右側に設置された凸部１１、及び、発光ダイオード１１ａ，１１ｂ，１１ｃ，１１ｄをプリント基板に実装したランプ組立体１１ｐ（図示せず）、についても、左側の構成と同様である。
【００２９】
また、発光ダイオードの保護等を目的として、各凸部１１，１２を覆うようにして、ランプカバー（図示せず）が設置されるが、図３及びその他の図面では、ランプカバーの記載を省略している。
【００３０】
図４は、本実施形態に関する、冷蔵室に形成される凸部の傾斜面と、当該傾斜面に設置されるランプ（発光ダイオード）組立体の外観斜視図である。図４に示すように、プリント基板に発光ダイオード１２ａ，１２ｂ，１２ｃ，１２ｄが実装されたランプ組立体１２ｐが、凸部１２上に設置されている。
【００３１】
発光ダイオードから照射される光は指向性を有する。本実施形態では、発光ダイオードの照射光の照射角度（立体角）は概ね１２０°とするが、これに限定されない。因みに、発光ダイオードからの照射光の照射角度は、発光ダイオードの種類によってさまざまである。上述した発光ダイオードからの照射光の照射角度θ１（図５参照）は、発光ダイオードから照射される光において、発光ダイオードの中心線上の照射方向に対して垂直な平面のうち、その照射方向に対応する箇所で測定される照度に対して、当該照度の略１／２以上の照度が測定される範囲として定義する。
【００３２】
図３に示すように、冷蔵室１０には４つの収納棚１４ａ，１４ｂ，１４ｃ，１４ｄが設置されており、各収納棚上に、食品等の収納物が収納される。ここで、収納棚１４ａと収納棚１４ｂとの間の空間を領域Ａとし、収納棚１４ｂと収納棚１４ｃとの間の空間を領域Ｂとし、収納棚１４ｃと収納棚１４ｄの間の空間を領域Ｃとし、収納棚１４ｄと天井との間の空間を領域Ｄとする。
【００３３】
上述したように、各収納棚１４ａ，１４ｂ，１４ｃ，１４ｄの先端よりも、手前側に位置するように各凸部１１，１２が形成され（図５参照）、プリント基板に少なくとも１個の発光ダイオードが実装されたランプ組立体１１ｐ，１２ｐ（図４参照）が各傾斜面１１ｓ，１２ｓに設置される（図５参照）。
【００３４】
図３に示すように、冷蔵室１０の左右側面の各発光ダイオードは、領域Ａ，Ｂ，Ｃ，Ｄに対応して配置される。すなわち、発光ダイオード１１ａ，１２ａは、主として領域Ａを照射し、発光ダイオード１１ｂ，１２ｂは、主として領域Ｂを照射し、発光ダイオード１１ｃ，１２ｃは、主として領域Ｃを照射し、発光ダイオード１１ｄ，１２ｄは、主として領域Ｄを照射する。これらの発光ダイオードによる光触媒１３ａ，１３ｂ，１３ｃ，１３ｄへの照射によって光触媒が活性化して、領域Ａ，Ｂ，Ｃ，Ｄにこもっているニオイ成分を効果的に脱臭することができる。さらに加えて、例えば、発光ダイオード１１ａ，１２ａから照射される光は、領域Ａに収納された収納物、収納棚１４ａの上面、収納棚１４ｂの下面、及び冷蔵室１０の側面等で反射するほか、一部は収納棚１４ａ又は収納棚１４ｂを透過することにより、冷蔵庫内の収納物の視認性を確保することができる。
【００３５】
また、図３に示すように、発光ダイオード１１ａ，１２ａは、収納棚１４ｂの下面よりも所定距離Δｌ（例えば、５ｍｍ）だけ下側に配置されている。つまり、発光ダイオード１１ａ，１２ａを含む水平面が、収納棚１４ｂと交差しないように設置されている。同様に、発光ダイオード１１ｂ，１２ｂは、収納棚１４ｃの下面よりも所定距離Δｌだけ下側に配置され、発光ダイオード１１ｃ，１２ｃは、収納棚１４ｄの下面よりも所定距離Δｌだけ下側に配置される。
【００３６】
発光ダイオード１１ａ，１２ａは、領域Ａで収納棚１４ａ上の収納物を斜め上方から照射してその視認性を十分に確保する機能を奏させ、さらに加えて、収納棚１４ｂ下の光触媒１３ｂを直接に照射して十分な光触媒活性化を図り脱臭効果を機能させて、両機能を十全に発揮させることができる。さらに、発光ダイオード１１ａ，１２ａは、収納棚１４ａ下の光触媒１３ａに対しても収納物の隙間を通して作用し、チルド室１５の脱臭作用を履行することができる。また、発光ダイオード１１ｄ，１２ｄは、領域Ｄで収納棚１４ｄ上の収納物を斜め上方から照射してその視認性を十分に確保することができるとともに、光透過性の収納棚１４ｄを通して光触媒１３ｄを活性化させることができる。
【００３７】
発光ダイオードは、上記のように指向性を有しており、発光ダイオードから照射される光の中心線上の照射方向（発光ダイオードが設置されている平面と垂直な中心線方向）において、その光度が最も大きくなる。
【００３８】
そこで、仮に、発光ダイオード１１ａ，１２ａを含む水平面が、収納棚１４ｂと交差している場合（発光ダイオード１１ａ，１２ａが収納棚１４ｂの左右側面に対向設置している場合）には、発光ダイオード１１ａ，１２ａから照射された光が、収納棚１４ｂの先端（図３に示す側面ｂ）で反射して（発光ダイオードは収納棚の側面ｂより手前側に設置されているので）、ユーザが眩しく感じることになる。また、収納棚１４ｂの先端（図３に示す側面ｂ）で反射してしまうため、光触媒１３ａ，１３ｂ，１３ｃ，１３ｄに光が効率よく照射されなくなり、脱臭性能も低下する。
【００３９】
また、仮に、発光ダイオード１１ａ，１２ａを含む水平面が、収納棚１４ａと収納棚１４ｂの略中間の高さである場合には、領域Ａの奥にある収納物が手前の収納物の影によって見えにくくなる。また、発光ダイオードは、指向性を有しているため、光触媒１３ａ，１３ｂ，１３ｃ，１３ｄには光が照射されず、まっすぐ冷蔵庫内背面に照射されてしまう。また、仮に収納棚１４ａ，１４ｂ，１４ｃ，１４ｄに光触媒を加工するのではなく、冷蔵庫内背面に加工したとしても、前述のように食品で光が遮られ、背面の光触媒に光が到達しにくい。更に、食品が無く光が背面に照射されたとしても光の強度は距離の２乗に反比例するため必要な光強度が得られず、脱臭効率は低下する。
【００４０】
このように、発光ダイオード１１ａ，１２ａを、収納棚１４ｂの下面よりも所定距離Δｌ（例えば、５ｍｍ）だけ下側に設置することによって、ユーザが眩しく感じることがなくなるとともに、発光ダイオード１１ａ，１２ａから照射される光をより脱臭に有効に用いることができる。また、奥の収納物も見えやすくなるので、冷蔵室１０内における視認性を向上させることができる。なお、上記の説明では、発光ダイオード１１ａ，１２ａについて説明したが、冷蔵室１０の側面に配置された他の発光ダイオードについても同様である。
【００４１】
図５は、本実施形態の冷蔵室を、図３に示すＹ−Ｙ線で切断し、上側から見た場合の発光ダイオードの設置状態を示す上面断面図である。本実施形態に係る冷蔵庫では、各発光ダイオードからの直接の照射光が冷蔵室１０内を照射するように、各傾斜面１１ｓ，１２ｓの位置及び傾斜角度の値が設定され、それに応じて左右側面に各凸部１１，１２が形成される。
【００４２】
つまり、発光ダイオードからの直接の照射光が、冷蔵室１０の扉１０ａ及び扉１０ｂを開いた場合の開口端１０ｋよりも、冷蔵室１０の内側に照射されるように各凸部の傾斜面１１ｓ，１２ｓ（冷蔵室１０の奥側の傾斜面）が形成されている。
【００４３】
図５に示すように、発光ダイオード１２ｂからの照射光の照射角度θ１は、例えば１２０°であり、当該照射光が冷蔵室１０の内側を照射するように凸部１２（発光ダイオード１２ｂが設置される傾斜面１２ｓ）が形成されている。同様に、発光ダイオード１１ｂからの照射光の照射角度θ２も、例えば１２０°であり、当該照射光が冷蔵室１０の内側を照射するように凸部１１（発光ダイオード１１ｂが配置される傾斜面１１ｓ）が形成されている。
【００４４】
すなわち、発光ダイオード１１ｂ、１２ｂからの直接の照射光が、冷蔵室１０の扉（１０ａ及び１０ｂ）を開いた場合の開口端１０ｋ（図５では、開口端のうち左右の端）よりも冷蔵室１０の内側に照射されるように、凸部１１及び凸部１２が形成されている。なお、上記の説明では、発光ダイオード１１ｂ，１２ｂについて説明したが、冷蔵室１０の側面に設置された他の発光ダイオードについても同様である。
【００４５】
また、上記の説明では、凸部１１，１２を形成することによって各発光ダイオードが設置される傾斜面１１ｓ，１２ｓを形成する場合について説明したが、冷蔵室１０の左右側面に凹部を形成することによって、各発光ダイオードが設置される傾斜面を形成することとしてもよい。
【００４６】
図６は、傾斜面を凹部によって形成した場合に、図３に記載のＹ−Ｙ線を含む水平面で切断して上側から見た場合の断面図である。図６に示すように、冷蔵室１０の右側面の一部を切り欠いて凹部１８を形成し、冷蔵室１０の左側面の一部を切り欠いて凹部１９が形成されている。
【００４７】
凹部１８，１９は、冷蔵室１０の左右側面が平面状であった場合の状態から、縦方向（上下方向）に三角柱を切り取った形状をしている。各凹部１８，１９に形成される２つの傾斜面（手前側の傾斜面と奥側の傾斜面）のうち、手前側の傾斜面１８ｓ，１９ｓに、それぞれ発光ダイオード１８ｂ，１９ｂを設置する。発光ダイオード１８ｂ，１９ｂは、主に領域Ｂを照射する（図３のＹ−Ｙ線を参照）。また、図３に記載した場合と同様に、冷蔵室１０の領域Ａ，Ｃ，Ｄに対応して他の発光ダイオードも設置することとする。
【００４８】
ここで、各発光ダイオードからの直接の照射光が冷蔵室１０内を照射されるように、各凹部１８，１９の傾斜面１８ｓ，１９ｓの位置及び傾斜角度を設定し、当該傾斜面１８ｓ，１９ｓのそれぞれにおいて、プリント基板に少なくとも１つの発光ダイオードが実装されたランプ組立体（図示せず）を設置する。
【００４９】
つまり、各発光ダイオードからの直接の照射光が、冷蔵室１０の扉１０ａ及び扉１０ｂを開いた場合の開口端１０ｋよりも、冷蔵室１０の内側に照射されるように各凹部の傾斜面１８ｓ，１９ｓを形成する。
【００５０】
なお、図６に示すように、冷蔵室１０の左右側面を延長した場合の平面と、奥側の傾斜面との角度θ４，θ５が比較的小さくなるように（例えば１５°）、凹部１８，１９が形成されている。これは、左右側面に設置された各発光ダイオードからの照射光を奥側の傾斜面で反射させて、冷蔵室１０内を照射させるためである。
【００５１】
傾斜面を凸部によって形成するか、凹部によって形成するかは、設計時に適宜選択することができる。また、各傾斜面を形成することができれば、各凸部又は凹部を他の形状としてもよい。例えば、各凸部又は凹部の断面形状を、丸みをもった形状としてもよい。
【００５２】
また、図５と図６には、各発光ダイオードからの直接の照射光が、冷蔵室１０の開口端１０ｋに達している場合について記載したが、これに限らない。すなわち、各発光ダイオードからの直接の照射光が、冷蔵室１０の開口端よりも奥側に照射されるように各傾斜面１１ｓ，１２ｓ，１８ｓ，１９ｓを形成してもよい。
【００５３】
また、上記の説明では、収納棚１４ａ，１４ｂ，１４ｃ，１４ｄの手前側の先端（側面ａ，側面ｂ，側面ｃ，側面ｄ（図３参照））よりも、各凸部又は凹部が手前側に位置するように形成される場合について説明したが、これに限らない。例えば、冷蔵室１０の左右側面に配置する各発光ダイオードの開口面からの距離（奥行き）は、各収納棚の上記側面ａ，側面ｂ，側面ｃ，側面ｄと略同一でもよいし、上記側面よりもさらに奥側に配置してもよい。
【００５４】
このように、本実施形態に係る冷蔵庫１００では、冷蔵室１０の側面に配置する複数の発光ダイオードから直接照射される照射光が、冷蔵室１０の扉１０ａ及び１０ｂを開いた場合の開口端１０ｋよりも冷蔵室１０の奥側に照射されるように、各凸部又は凹部の各傾斜面を形成することによって、次のような効果を奏する。
【００５５】
ユーザが冷蔵室１０の扉１０ａ又は扉１０ｂを開けた場合に、発光ダイオードから直接照射される照射光をユーザが視認するという事態を回避することができる。したがって、ユーザが発光ダイオードから直接照射される照射光を視認することによって眩しく感じるということがなくなるため、冷蔵室１０の視認性を向上させることができる。また、発光ダイオードから直接照射される照射光の全てが、冷蔵室の収納物、壁面、収納棚等に照射されるため、照射光を有効に用いることができる。すなわち、発光ダイオードから収納物等に照射され、さらに収納物等によって反射された光の一部をユーザが視認することになる。したがって、本実施形態に係る冷蔵庫によれば、冷蔵室１０の収納物の視認性を向上させることができる。
【００５６】
次に、本発明の第２の実施形態に係る冷蔵庫について、図７と図８を参照しながら以下説明する。図７は本発明の第２の実施形態に関する冷蔵室の扉を開けた状態における収納棚と発光ダイオードの配置を示す正面図であり、図８は図７に示すＹ’−Ｙ’線で切断し、上側から見た場合の発光ダイオードの設置状態を示す上面断面図である。本発明の第２の実施形態は、複数の発光ダイオード１１ａ〜１１ｄ，１２ａ〜１２ｄが冷蔵室１０の手前側に設置されることに加えて、さらに、奥側にも複数の発光ダイオード１６ａ〜１６ｄ，１７ａ〜１７ｄが配置される構成である。
【００５７】
図７において、冷蔵室１０の奥側の面と右側面とが交わる線Ｑ（図８参照）の近傍の右側面に、縦方向（上下方向）に連続した正三角柱状の一条の凸部１６を形成する。また、冷蔵室１０の奥側の側面と左側面とが交わる線Ｒ（図８参照）の近傍の左側面に、縦方向に連続した正三角柱状の一条の凸部１７を形成する。ここで、凸部１６，１７は、その各側面が冷蔵庫１００の上下面に対して垂直となるように形成されている。
【００５８】
図８において、冷蔵室１０に設置される収納棚１４ｄは、凸部１６，１７と所定距離をとるために、右奥側の角と左奥側の角を切り欠いている（Ｈ１，Ｈ２参照）。他の棚１４ａ，１４ｂ，１４ｃにも同様の切り欠きを設けており（図７参照）、各切り欠きを凸部１６，１７が貫通するように形成している。なお、図８では、切り欠きＨ１，Ｈ２を曲線状に形成したが、これに限らない。
【００５９】
以下では、冷蔵室１０の右側面に形成された凸部１６に設置される発光ダイオード１６ａ，１６ｂ，１６ｃ，１６ｄについて説明するが、冷蔵室１０の左側面に形成された凸部１７に設置される発光ダイオード１７ａ，１７ｂ，１７ｃ，１７ｄについても同様である。  図４を用いて説明した場合と同様に、プリント基板に４つの発光ダイオード１６ａ，１６ｂ，１６ｃ，１６ｄが実装されたランプ組立体１６ｐ（図示せず）が、凸部１６の手前側の傾斜面１６ｓに設置されている。また、図７に示すように、各発光ダイオード１６ａ，１６ｂ，１６ｃ，１６ｄは、それぞれ収納棚１４ａ，１４ｂ，１４ｃ，１４ｄの側面に対して所定距離だけ上方位置に設置されている。
【００６０】
プリント基板に発光ダイオード１６ａ，１６ｂ，１６ｃ，１６ｄが実装されたランプ組立体１６ｐ（図示せず）は、凸部１６の２つの傾斜面（手前側の傾斜面と奥側の傾斜面）のうち、手前側の傾斜面１６ｓ（図８参照）に設置される。つまり、発光ダイオード１６ａ，１６ｂ，１６ｃ，１６ｄを凸部１６の手前側に配置することによって、各発光ダイオードは、冷蔵室１０の開口面側を照射する。
【００６１】
図７と図８に示すように、発光ダイオード１６ｄ，１７ｄは、その設置される床面からの高さが、収納棚１４ｄの床面からの高さよりも所定距離高くなるように配置される。仮に、発光ダイオード１６ｄを収納棚１４ｄの側面に対応して配置すると、発光ダイオードからの光が直接に収納棚の側面に照射されることになって、収納物の視認機能と光触媒の脱臭機能を両立させるという本実施形態の両立機能の低下を招くことになる。したがって、この両立機能を発揮させる上で、収納棚の側面ではなくて側面とずれた位置に発光ダイオードを配置している。図示の例では収納棚の側面より上方に発光ダイオードを配置する例を示しているが、これに限らず下方にずれた位置に発光ダイオードを配置してもよい。
【００６２】
図７に示す図示例で云えば、奥側に配置した発光ダイオード１６ｄは収納棚１４ｄに収納された食品類をその斜め背後から照射して食品類の視認性の機能を果たし、さらに、透光性の収納棚１４ｄを介して光触媒１３ｄを活性化させて棚間空間の脱臭機能を果たしている。
【００６３】
発光ダイオードは冷蔵室の奥側の凸部１６，１７に設置されており、光強度は距離の２乗に反比例するので、奥側の発光ダイオードの光によるまぶしさは減殺されるとともに、発光ダイオードは傾斜面１６ｓ，１７ｓに設置されているので、発光ダイオードの中心線上の光が直接に視認されることはない。さらに、手前側の発光ダイオード１１ａ〜１１ｄ，１２ａ〜１２ｄによる光強度で視認性が不十分である場合に、奥側の発光ダイオードがこれを補うに足る光強度の発光ダイオードとしてもよい。また、奥側の発光ダイオードを収納棚の側面より上方にずらせば収納物の視認性を重視することになり、下方にずらせば光触媒の脱臭機能を重視することにつながる。
【００６４】
一般に、発光ダイオードから照射される光の光度は、その中心線上の照射方向（発光ダイオードが設置されている面と垂直な方向の内でダイオード設置点からの垂直方向）において最も大きくなる。なお、上述した説明では、収納棚１４ｄに対応して設けられた発光ダイオード１６ｄ，１７ｄについて説明したが、他の収納棚１４ａ，１４ｂ，１４ｃに対応して設けられた各ダイオードについても同様である。
【００６５】
また、前述したように、光強度は距離の２乗に反比例するため、手前側の発光ダイオード１１ａ〜１１ｄ，１２ａ〜１２ｄの照射によって、光触媒１３ａ，１３ｂ，１３ｃ，１３ｄは手前ほど効率よく光触媒反応を行うが、奥側の方の光触媒は手前側のそれよりも効率が悪い。したがって、第２の実施形態における奥側の発光ダイオード１６ａ〜１６ｄ，１７ａ〜１７ｄの照射により更に光触媒１３ａ，１３ｂ，１３ｃ，１３ｄを効率よく活性化できる。
【００６６】
また、本実施形態では、冷蔵室１０の手前側に形成された傾斜面１１ｓ，１２ｓに発光ダイオードを配置することによって、主に冷蔵室１０の手前側を照射し、冷蔵室１０の奥側の側面に形成された傾斜面１６ｓ，１７ｓに発光ダイオードを配置することによって、主に冷蔵室１０の奥側を照射することができる。したがって、各発光ダイオードによって冷蔵室１０の全体が照射されるため、冷蔵室１０の視認性を向上させることができる。
【００６７】
なお、図７では、冷蔵室１０の左右側面にそれぞれ傾斜面１１ｓ，１２ｓ，１６ｓ，１７ｓを形成して、各傾斜面のそれぞれに、プリント基板に４個の発光ダイオードが実装されたランプ組立体１１ｐ，１２ｐ，１６ｐ，１７ｐを設置した構造を第２の実施形態として示しているが、この図示した構造に本発明は限定されるものではない。
【００６８】
例えば、第２の実施形態の構成例として、図７に示す冷蔵室１０において、手前側の発光ダイオードとして１１ａ，１１ｂ，１１ｃ，１２ａ，１２ｂ，１２ｃを設置し、奥側の発光ダイオードとして１６ｄ，１７ｄを設置することとしてもよい。この場合には、領域Ａは主に発光ダイオード１１ａ，１２ａによって照射され、領域Ｂは主に発光ダイオード１１ｂ，１２ｂによって照射され、領域Ｃは主に発光ダイオード１１ｃ，１２ｃによって照射され、領域Ｄは主に奥側の発光ダイオード１６ｄ，１７ｄによって照射される。このように、一つ又は複数の領域を手前側の発光ダイオードによって照射し、残りの領域を奥側の発光ダイオードによって照射することとしてもよい。
【００６９】
また、図７では、冷蔵室１０の左右側面に凸部１１，１２，１６，１７を形成する場合を示したが、その一部又は全部を凹部として形成し、当該凹部に発光ダイオードを設置することとしてもよい（図６参照）。ちなみに、冷蔵室１０の左右側面の傾斜面を凹部として形成する場合には、各収納棚に切り欠きＨ１，Ｈ２を設ける必要はない（図８参照）。
【００７０】
また、本実施形態では、各凸部を正三角柱状に形成することとしたが、これに限らない。つまり、冷蔵室１０の側面に設置する複数の発光ダイオードから直接照射される照射光が、冷蔵室１０の開口端１０ｋ（図５参照）よりも奥側に照射されるという条件を満たせば、凸部（又は凹部）は他の形状でもよい。例えば、凸部（または凹部）を水平面で切断した場合の断面形状が丸みをもったものとしてもよい。
【００７１】
また、本実施形態では、冷蔵室１０の奥側の側面に凸部１６，１７を形成したが、冷蔵室１０の奥側の面（開口面と平行な面）に凸部又は凹部を形成して発光ダイオードを配置することとしてもよい。また、この場合には、縦方向（上下方向）に連続した凸部又は凹部を一つ又は複数形成してもよいし、各収納棚に対応して横方向（左右方向）に連続した凸部又は凹部を一つ又は複数形成してもよい。また。側面に凸部１６，１７（又は凹部）を形成し、さらに奥側の面にも凸部又は凹部を形成することとしてもよい。なお、凸部を形成する場合には、当該凸部に対応して各収納棚に切り欠きを設ける必要がある（図８参照）。
【００７２】
次に、本発明の実施形態に係る冷蔵庫の脱臭性能について、従来技術との比較で比較実験を行い、その実験結果を図９に示す。この比較実験の方法は、脱臭装置として、従来技術が、冷蔵庫の冷気通路に脱臭フィルターを設置した場合（図９で従来技術５０と示す）であり、本実施形態が、上述した収納棚に光触媒を設置した場合（図９で本実施形態５１と示す）である。ここで、脱臭性能について、野菜の腐敗臭気の代表であるメチルメルカプタンをモデルガスとして冷蔵庫内の経時的な濃度変化を測定することで脱臭性能を比較した。
【００７３】
図９において、縦軸は冷蔵庫内のメチルメルカプタン濃度を示し、横軸は時間を示す。比較実験の結果、従来技術５０よりも光触媒を用いた本実施形態５１の方が、臭い成分を素早く分解消臭している。この実験結果は、従来技術では貯蔵室内の冷気循環量が少ないために臭い成分の残存率がなかなか低下しないことを示しており、貯蔵室の収納棚間にこもった臭い成分は本実施形態によりその残存率が素早く低下しており、効果的に脱臭できることを示している。
【符号の説明】
【００７４】
１０  冷蔵室（貯蔵室）
１０ａ，１０ｂ  扉
１０ｋ  扉開口面
１１，１２  凸部
１１ａ〜１１ｄ，１２ａ〜１２ｄ  発光ダイオード（第１の照明装置、第１の光源）
１１ｐ，１２ｐ  ランプ組立体
１１ｓ，１２ｓ  傾斜面（第１の傾斜部）
１２ｐ  プリント基板内臓のランプ組立体
１３ａ〜１３ｄ  光触媒層
１４ａ〜１４ｄ  収納棚
１５  チルド室
１６，１７  凸部
１６ｓ，１７ｓ  傾斜面（第２の傾斜部）
１６ａ〜１６ｄ，１７ａ〜１７ｄ  発光ダイオード（第２の照明装置、第２の光源）
１８，１９  凹部
１８ｓ，１９ｓ  凹部の傾斜面（第１の傾斜部）
２０，４０  冷凍室
５０  従来技術の脱臭性能
５１  本実施形態の脱臭性能
１００  冷蔵庫
ａ，ｂ，ｃ，ｄ  収納棚の側面（収納棚の手前側先端側面）
Ａ，Ｂ，Ｃ，Ｄ  領域
θ１，θ２  発光ダイオードの照射角度
Ｈ１，Ｈ２  収納棚の切り欠き
Ｌ  凸部稜線
【図１】
2014055713.tif 000003
【図２】
2014055713.tif 000004
【図３】
2014055713.tif 000005
【図４】
2014055713.tif 000006
【図５】
2014055713.tif 000007
【図６】
2014055713.tif 000008
【図７】
2014055713.tif 000009
【図８】
2014055713.tif 000010
【図９】
2014055713.tif 000011